(57)【要約】【課題】  カードをカードコネクタに挿入して使用する際に、カードが傾いて排出されることを防止するように、スライダ部材を傾けることなく円滑にスライドさせて排出させる。【解決手段】  コネクタ本体と、カバー部材と、から構成されるコネクタハウジングと、前記コネクタハウジング内に配置された複数個のコンタクトと、挿入されたカードの着脱動作をするイジェクト機構と、を備えたカードコネクタにおいて、前記カバー部材に形成されたガイド孔あるいはガイド溝と、前記コネクタハウジング内に配置されたスライド部材と、前記スライド部材に前記ガイド孔またはガイド溝に係わり合う突部を有することを特徴とする。【選択図】  図１
2005149993.tif 000002
【特許請求の範囲】
【請求項１】
コネクタ本体と、カバー部材と、から構成されるコネクタハウジングと、
前記コネクタハウジング内に配置された複数個のコンタクトと、
挿入されたカードの着脱動作をするイジェクト機構と、を備えたカードコネクタにおいて、
前記カバー部材に形成されたガイド孔あるいはガイド溝と、
前記コネクタハウジング内に配置されたスライド部材と、
前記スライド部材に前記ガイド孔またはガイド溝に係わり合う突部を有することを特徴とするカードコネクタ。
【請求項２】
前記ガイド孔あるいはガイド溝は、前記カバー部材に、カード着脱方向にほぼ平行に、かつ間隔を置いて形成したことを特徴とする請求項１記載のカードコネクタ。
【請求項３】
前記スライダ部材は、両側部がほぼ直角に折り曲げられて形成されていることを特徴とする請求項１記載のカードコネクタ。
【請求項４】
前記イジェクト機構は、前記スライダ部材と一体的に形成されたイジェクト部を有することを特徴とする請求項１記載のカードコネクタ。
【発明の詳細な説明】
【技術分野】
【０００１】
本発明は、パソコン、携帯電話機、電話機、ＰＤＡ（personal  digital  assistance）、携帯型オーディオ、ゲーム機、カメラ、カラオケ等や情報端末機器等の電子機器のカードコネクタに係わるもので、特に、カードの斜め排出のための対策を行って、カードを傾けることなく円滑に排出できるカードコネクタに関するものである。
【背景技術】
【０００２】
近年、パソコン、携帯電話機、電話機、ＰＤＡ（personal  digital  assistance）、携帯型オーディオ、ゲーム機、カメラ、カラオケや、情報端末機器等の電子機器においては、ＣＰＵやメモリ用のＩＣチップと呼ばれるＩＣ部品が組込まれたＩＣカードやＰＣカード、ＳＤカード、ＳＩＭカード等の利用が非常に増大し、ＩＣカードやＰＣカード、ＳＤカードやＳＩＭカード等の小型のメモリカードを挿入するカードコネクタが広く求められている。
【０００３】
【特許文献１】特許第３２５２１３３号公報
【発明の開示】
【発明が解決しようとする課題】
【０００４】
従来のカードコネクタにおいては、カードの排出構造として、コネクタ内部に配置されたイジェクト機構によるプッシュイン−プッシュアウトさせる構造がある。この構造によると、イジェクト機構のカードを押し出す位置が、カードのコーナー部分の場合には、カードが斜めに排出されてしまう。さらに、この構造を用いると、カードを繰り返し挿入、抜去すると、イジェクト機構の反対側のカードとコネクタガイド部分とが擦れて磨耗し、その時の削りかすが堆積する現象がみられる。この削りかすがコネクタガイド部に堆積することにより、この構造では、摩擦係数が急激に上昇し、カードの排出が困難となる等の問題が見られる。
【０００５】
従って、本発明の目的は、このような従来における問題点を解決するために、カードを傾けることなく円滑に排出することができるカードコネクタを提供することにある。
【課題を解決するための手段】
【０００６】
上述の目的を達成するために、本発明のカードコネクタは、コネクタ本体と、カバー部材と、から構成されるコネクタハウジングと、前記コネクタハウジング内に配置された複数個のコンタクトと、挿入されたカードの着脱動作をするイジェクト機構と、を備えたカードコネクタにおいて、前記カバー部材に形成されたガイド孔あるいはガイド溝と、前記コネクタハウジング内に配置されたスライド部材と、前記スライド部材に前記ガイド孔またはガイド溝に係わり合う突部を有することを特徴とする。
【発明の効果】
【０００７】
本発明のカードコネクタは、傾き矯正機構によってスライダ部材が傾くことなくスライドされているので、カードを好適に排出することができ、かつ削り屑を生じることなく常に円滑にスライダ部材を作動させることができる。
【発明を実施するための最良の形態】
【０００８】
本発明のカードコネクタでは、コネクタ本体にカバー部材を組み合わせて形成されているコネクタハウジング内に配置されたイジェクト機構と連動して作動されるスライダ部材が、前記カバー部材に形成されたガイド孔またはガイド溝に沿って滑動可能に設けられた突部を有する。
【実施例１】
【０００９】
図１乃至図１２は、本発明のカードコネクタの実施例１を示す図で、図１は、本発明の実施例１におけるカードコネクタの平面図で、図２は、図１のカードコネクタの正面図で、図３は、図１のIII―III線に沿った断面図で、図４は、図１のIＶ―IＶ線に沿った断面図、図５は、図１の本発明のカードコネクタの斜視図で、図６は、図５のカードコネクタのカバー部材を取外した斜視図、図７は、カードを挿入した時の斜視図で、図８は、カードを排出した時の斜視図である。図９は、スライダ部材の斜視図で、図１０は、正面図、図１１は、カバー部材の斜視図で、図１２は、本発明の実施例１のカードコネクタにおけるソケット本体の平面図である。
【００１０】
図１乃至図６に示されるように、本発明の実施例１におけるカードコネクタ１は、コネクタ本体２と、カバー部材３と、複数個のコンタクト４と、イジェクト機構５と、スライダ部材６と、傾き矯正機構７とから構成されている。
【００１１】
本発明の実施例１のカードコネクタ１において、イジェクト機構５は、イジェクト部材８と、このイジェクト部材８を弾性的に偏倚するばね部材９と、ハート形カム２０と、ハート形カム２０の周りのカム溝２１と、カムレバー２５とから構成されている。なお、イジェクト部材８はスライダ部材６と一体的に形成されてなる。
【００１２】
本発明のこのようなカードコネクタ１は、例えば、情報端末機器等に装着して用いられる。
情報端末機器等に装着される場合には、本発明のカードコネクタ１は、コネクタ本体２に組合せられるカバー部材３によって偏平なハウジング形状のコネクタハウジングが構成されてなる。このコネクタハウジングは、一方の側が開放されていてカード挿入口１０が形成されてなる。
【００１３】
さらに、本発明のカードコネクタ１は、このコネクタハウジングの他方の側がコネクタ本体２の端壁１４によって閉鎖されており、コネクタ本体２の基板１１部分に、カードの挿入、抜去方向と平行な方向に延びる複数個の溝１２が設けられている。これら溝１２の各々にコンタクト４がそれぞれ整列して固着されて取り付けられている。コンタクト４は、自由端部側の弾性変位可能な弾性接触部４ａと、中間の固定部４ｂと、固定側端部の端子部４ｃとをそれぞれ有している。
【００１４】
すなわち、これらコンタクト４には、先ず、外部の他の情報端末機器や装置等の端子と接続するための端子部４ｃが延出するように設けられている。また、これらコンタクト４は、コンタクト本体をなす中間の固定部４ｂにおいて個々にコネクタ本体２の基板１１部分の溝１２内に圧着されることで固着されている。そして、挿入されたカードＣの接触パッドとコンタクト４の弾性接触部４ａとが接触されて電気的に接続されるようになっている。
【００１５】
上述のカードコネクタ１において、図１２に明示される様に、コネクタ本体２は、例えば、適宜な合成樹脂材料などの絶縁材料によって成形して作られ、金属薄板材料で作られたカバー部材３と組み合わせられて中空のハウジング形状に形成し、その基本形状としている。また、コネクタ本体２は、図６および図１２に示されるように、ほぼ矩形の長方形状をなしている。また、コネクタ本体２は、平板状の基板１１と、基板１１の一方の端の端壁１４と、基板１１の左右両側の側壁１５、１６とを有しており、他方の開放された側の端にカード挿入口１０が形成されている。従って、コネクタ本体２は、平板状の基板１１の三方が、ほぼ直角に直立した端壁１４と側壁１５、１６とによって囲まれており、残りの一方が開放されていてカード挿入口１０が設けられた形状をなしている。
【００１６】
上述のカードコネクタ１において、コネクタ本体２の一方の側には、図１２に示されるように、側壁１５に沿ってイジェクト機構５のばね部材９のために、細長い形状の窪み部１９が設けられている。この窪み部１９内には、コイルスプリングのようなばね部材９が配置されており、イジェクト部材８の突出部８ａがばね部材９の一端に係合されている（図６）。また、ばね部材９の他端は、窪み部１９の他方の壁である端壁１４部分に係合されている。さらに、この窪み部１９に沿って内側の隣接した位置において、コネクタ本体２の基板１１部分の一部の上面に、イジェクト機構５のハート形カム２０とカム溝２１とが設けられている。
【００１７】
このカム溝２１には、カムレバー２５の一方の端部２５Ａが挿入されて係合されており、イジェクト部材８の移動に伴ってカム溝２１に沿ってカムレバー２５の端部２５Ａが移動する構造である。この構造により、カムレバー２５の他方の端部２５Ｂは、イジェクト機構５のイジェクト部材８の孔８ｂに回動可能に嵌め込まれて支持されている。この構造により、カムレバー２５は、イジェクト部材８が移動する際に、端部２５Ａがカム溝２１に沿って倣うように相対的に移動するようになる。また、同時に、ばね部材９がイジェクト部材８によって押圧されて圧縮されるようになる。
【００１８】
図１２図示の様に、このイジェクト機構５のカム溝２１は、ハート形カム２０の周りにループ状に形成されたカム溝部２１ａ、２１ｂと、ハート形カム２０の頭部における凹み部２１ｃと、ハート形カム２０の下端部においてカム溝部２１ａ、２１ｂが合流してほぼ真っ直ぐに延びる直線状カム溝部２１ｄと、この直線状カム溝部２１ｄと反対側にカム溝部２１ａ、２１ｂからほぼ平行にそれぞれ延びるカード排出開始用カム溝部２１ｅ、２１ｆとから構成されている。
【００１９】
また、このカム溝２１においては、これらカム溝部２１ａ、２１ｂと凹み部２１ｃとの相互の接続部分と、カム溝部２１ａ、２１ｂとカード排出開始用カム溝部２１ｅ、２１ｆと直線状カム溝部２１ｄとの境界となる接続部分の溝底面に設けられた僅かな段差とがある。この段差は、カムレバー２５の端部２５Ａの、ハート形カム２０周りの、例えば、反時計方向の移動のみを許すように構成されている。従って、カムレバー２５の端部２５Ａは、カム溝２１に沿って溝底面の高い方の位置から低い方の位置へと段差を越えて移動できる。しかしながら、カムレバー２５の端部２５Ａは、低い方の位置から高い方の位置へと、段差の部分を乗り越えて移動することはできない。
【００２０】
さらに、このようなイジェクト機構５のカム溝２１が形成されているコネクタ本体２の部分に隣接して、スライダ部材６のための一方の案内路１７がガイドレールとして形成されている。また、この案内路１７と対向して、コネクタ本体２の反対側の側壁１６に沿って案内路１８が、対応するガイドレールとして設けられている。この案内路１７、１８により、スライダ部材６をカードの挿入、抜去方向と平行な方向にスライドさせて案内することができるようになっている。
【００２１】
コネクタ本体２と組み合わせられる金属薄板材料のカバー部材３の上面には、本発明のカードコネクタ１における特徴部分であるスライダ部材６の傾きを矯正する傾き矯正機構７が設けられている。
【００２２】
本発明のカードコネクタ１の特徴部分であるこの傾き矯正機構７は、カバー部材３の上面に横方向に間隔を置いてほぼ平行に設けられた細長い一対のガイド孔２２と、各ガイド孔２２に対応して係合するように、スライダ部材６の上面に形成された円形状または楕円形状のガイド突部２３とから構成されている。このようなガイド突部２３は、合成樹脂材料で作られるのが好適であり、ガイド孔２２に沿ってのガイド突部２３の移動を円滑にすることができる。また、このようなガイド孔２２は、ガイド溝とすることもできる。
【００２３】
さらにまた、カバー部材３の上面には、イジェクト機構５のカムレバー２５を抑制するための片持ちばね形の抑え部材２４が、カバー部材３の一方の側壁部３Ａの近くに設けられる。片持ちばね形の抑え部材２４は、打ち抜きのようなプレス加工によって作られる。従って、この抑え部材２４の自由端部側が、カムレバー２５の上に押えるように係合して、カムレバー２５が飛び出してカム溝２１から外れないように抑制している。
【００２４】
また、カバー部材３の一対のガイド孔２２には、スライダ部材６の上面に形成された対応する円形状のガイド突部２３が係合されており、これによって、スライダ部材６を良好に案内するように形成されている。従って、カードの挿入、抜去時には、スライダ部材６の上面に設けられた複数個のガイド突部２３がガイド孔２２に沿って案内されて滑動されることにより、スライダ部材６がガタつくことなく円滑に案内される。また、スライダ部材６の傾きを矯正するように作用するために、スライダ部材６がカード挿入、抜去方向に対して何等傾くこと無く、常に良好に滑動されるようになる。
【００２５】
なお、ガイド突部２３は、図示実施例では円形状をなしているが、必ずしも円形状に限られるものではなく、楕円形や繭形などの他の形状でも良いことは勿論であり、１つのガイド孔２２に対して２つのガイド突部２３が設けられるのが好適である。さらにまた、必要に応じては、ガイド突部２３をローラやコロのようにスライダ部材６の上面に回転自在に設けることもできる。
【００２６】
このように、カバー部材３のガイド孔２２と、このガイド孔２２に係合するスライダ部材６のガイド突部２３との組によって、スライダ部材６の傾きを防止して矯正する傾き矯正機構７が形成されるようになる。
【００２７】
さらに、カバー部材３の両側壁部３Ａ、３Ｂと後端壁部３Ｃは、カバー部材３の平板状の主要部分に対して、ほぼ直角に下方に折り曲げられていて直立した側壁部分および端壁部分として形成されている。これら側壁部３Ａ、３Ｂと後端壁部３Ｃとにはそれぞれ細長い開口部２７が形成されている。これら開口部２７には、コネクタ本体２の両側壁１５、１６と端壁１４との壁面に形成された断面ほぼ三角形状の係止突起部２６が係合されて、カバー部材３がコネクタ本体２に、スナップ止めして取り付けることが出来るようになっている。
【００２８】
また、コネクタ本体２の底面には、図２に示されるように、１つまたは複数個の位置決め突部２８が設けられている。このため、位置決め突部２８が、本発明のカードコネクタ１が装着される情報端末機器等の、対応する装着用凹部または穴部に嵌め込まれることによって、本発明のカードコネクタ１を情報端末機器等に迅速かつ正確に位置決めを行って取り付けることが出来る。
【００２９】
図９および図１０に示されるように、この本発明の実施例１のカードコネクタ１において、スライダ部材６は、平板状のスライダ本体１３と、スライダ本体１３の両側部をほぼ直角に折り曲げて形成された側壁部６Ａ、６Ｂと、スライダ本体１３の一端を同様にほぼ直角に折り曲げて形成された端壁部６Ｃとを有しており、一方の側壁部６Ａにおいてイジェクト部材８が一体的に形成されている。スライダ部材６は、両側の両側壁部６Ａ、６Ｂが直角形状に折り曲げられている。この屈曲部分が、コネクタ本体２の基板１１部分の両側の案内路１７、１８部分に係合するように、ガイド部として形成されており、これによってスライダ部材６が、ガイドレールまたはガイド面としての案内路１７、１８に沿って案内されて往復移動するように構成されている。
【００３０】
また、スライダ部材６は、両側の側壁部６Ａ、６Ｂと一端の端壁部６Ｃとが折り曲げられることによって、スライダ本体１３の内側に、カードを収納できるカード装着部が形成されている。挿入されたカードの先端部分がこのカード装着部内に装着されて両側壁部６Ａ、６Ｂと端壁部６Ｃとに当接され、スライダ部材６を押圧して移動することができるように構成されている。
【００３１】
さらにまた、スライダ部材６の側壁部６Ｂには、図９に明示されるように、片持ちばね形のカード抑え部材２９が設けられている。カード抑え部材２９は挿入されたカードを反対側の側壁部６Ａに向って横方向に押圧して、スライダ部材６に対するカードのガタツキを防止するようになっている。さらに、このカード抑え部材２９は、カード排出時に、カードの急激な排出を抑えて制動するように、ブレーキ部材としてカードの飛び出しを好適に抑制するように形成されている。
【００３２】
さらに、イジェクト部材８には、図９および図１０に明示されるように、一方に突出する突出部８ａが設けられており、この突出部８ａに、コイルスプリング等のばね部材９の一端が係合されている。また、ばね部材９の他端は、窪み部１９の端壁１４部分に当接され係合されている。従って、ばね部材９は、イジェクト部材８の移動によってイジェクト部材８と端壁１４との間に押圧されて、圧縮されるようになっている。このばね部材９の圧縮力がイジェクト部材８を押し戻すように作用することによって、カードがスライダ部材６を介してカードコネクタ１から押し出されて排出されるようになる。
【００３３】
図７には、本発明のカードコネクタ１に、カードＣが挿入された状態が示されており、さらに、図８には、カードＣが、本発明のカードコネクタ１から排出された状態が示されている。
【００３４】
図７に示されるように、本発明のカードコネクタ１に対して、カードＣが挿入される時には、カードＣは、カード挿入口１０から差し込まれて挿入されるようになる。
【００３５】
まず、カード挿入口１０から挿入されたカードＣは、先端部がスライダ部材６の端壁部６Ｃに当接してスライダ部材６を押圧するようになる。従って、スライダ部材６は、両側の側壁部６Ａ、６Ｂの屈曲部分がガイド部材として案内路１７、１８に沿って滑動して移動される。この場合に、スライダ部材６と一体的に形成されたイジェクト部材８も移動されて、ばね部材９が圧縮されると共に、カムレバー２５の端部２５Ａがカム溝２１の直線状カム溝部２１ｄに沿って移動されるようになる。
【００３６】
そして、カードＣが一番奥にまで押し込まれた時に、カムレバー２５の端部２５Ａは、直線状カム溝部２１ｄから、カム溝部２１ａを通ってカード排出開始用カム溝部２１ｅに入り、そこでカードの押し込みを停止すれば、ばね部材９によってスライダ部材６がイジェクト部材８と一緒に僅かに押し戻される。これによって、カムレバー２５の端部２５Ａがカード排出開始用カム溝部２１ｅから凹み部２１ｃのところに入って、この凹み部２１ｃのところでハート形カム２０に係合して停止されて、保持される。また、スライダ部材６がカードコネクタ１内にロックされてカードＣがカードコネクタ１内に固持される。
【００３７】
また、このようなカード挿入状態から、図８に示される状態にカードＣを抜き出すには、図７に示される状態において、カードＣを一度、軽く押し込んで、カムレバー２５の端部２５Ａをハート形カム２０の凹み部２１ｃから、他方のカード排出開始用カム溝部２１ｆへと移動させる。そこで、カードＣの押し込みを止めて手を離せば、カムレバー２５の端部２５Ａがカード排出開始用カム溝部２１ｆから出てカム溝部２１ｂへと移動して凹み部２１ｃから外れてロックが解除される。従って、カムレバー２５は、フリーとなって端部２５Ａがカム溝部２１ｂを経て直線状カム溝部２１ｄへと移動する。
【００３８】
これによって、カードＣは、ばね部材９のばね力によってイジェクト部材８を介してスライダ部材８が押し戻されることによって、スライダ部材８と一緒に押し出されてカードコネクタ１の外に排出されるようになる。この時に、カード抑え部材２９が制動部材として作用してカードＣの排出速度を適切に抑制するので、カードＣは好適に排出されるようになる。
【００３９】
また、この場合に、スライダ部材６は、カバー部材３のガイド溝２２に、スライダ部材６の上面の円形状のガイド突部２３が係合されている。これによって、スライダ部材６は、何等ガタ付き無く円滑に案内されてスライダ部材６の傾きを矯正するように作用するため、スライダ部材６がカード挿入、抜去方向に対して何等傾くこと無く、常に良好に滑動されるようになる。
【００４０】
従って、スライダ部材６の摩滅による削り屑の発生も無く、常に円滑にスライダ部材６を作動させることができる。なお、ガイド溝２２は、少なくとも１つが設けられておれば、所期の目的を達成することができ、スライダ部材６のガタツキの無い円滑な滑動が得られる。また、好適には、ガイド溝２２は、一対が設けられると、一層良好な滑動が得られるものである。
【００４１】
上述したように、本発明のカードコネクタ１によれば、スライダ部材６は、上面に設けられた複数個の円形状のガイド突部２３が、カバー部材３の一対のガイド溝２２に係合されている。これによって、スライダ部材６は、何等ガタ付き無く円滑に案内され、しかも、これらガイド溝２２とガイド突部２３とによってスライダ部材６の傾きが矯正されるように作用される。そのためスライダ部材６がカード挿入、抜去方向に対して何等傾くこと無く、常に良好に滑動されるようになる。従って、スライダ部材６の摩滅による削り屑の発生も無く、常に円滑にスライダ部材６を作動させることができる。
【実施例２】
【００４２】
図１３乃至図２２は、本発明のカードコネクタの実施例２を示す図で、図１３は、本発明の実施例２におけるカードコネクタの平面図、図１４は、右側面図で、図１５は、図１３の本発明のカードコネクタの斜視図で、図１６は、図１５のカードコネクタのカバー部材を取り外した斜視図、図１７は、スライド部材の斜視図、図１８は、イジェクト部材と一体になったスライド部材の平面図、図１９は、その底面図で、図２０は、背面図で、図２１は、右側面図、図２２は、本発明のカードコネクタの実施例２におけるソケット本体の平面図である。
【００４３】
図１３乃至図１６に示されるように、本発明の実施例２におけるカードコネクタ１は、コネクタ本体２と、カバー部材３と、複数個のコンタクト４と、イジェクト機構５と、スライダ部材６と、傾き矯正機構７とを有しており、イジェクト機構５の配置、構成だけが先の実施例１のカードコネクタと相違しており、他の構成に就いては、実施例１のものと実質的にほぼ同じである。従って、同一部分には、同一符号を付け、その説明に就いては省略するものとする。
【００４４】
本発明のこの実施例２において、カードコネクタ１のイジェクト機構５は、イジェクト部材８と、このイジェクト部材８を弾性的に偏倚するばね部材９と、ハート形カム２０と、ハート形カム２０の周りのカム溝２１と、カムレバー２５とを有しており、イジェクト部材８がスライダ部材６と一体的に形成されている。
【００４５】
本発明のカードコネクタ１において、コネクタ本体２の一方の側には、側壁５に沿ってイジェクト機構５のイジェクト部材８とばね部材９とのための窪み部１９が設けられており、この窪み部１９内にイジェクト部材８とばね部材９とが配置されている。このイジェクト部材８には、ばね部材９の一端部を受けるように、断面がほぼ半円形状の窪んだトンネル形の、行き止りの凹状のばね収納部８Ａが設けられており、このばね収納部８Ａ内の行き止りの端壁８Ｃ部分にばね部材９の一端部が当接されて係合されている。また、ばね部材３９の他端は、窪み部１９の一方の端の端壁1４に形成された突出部1４ａに係合されている。この突出部1４ａに対応してコネクタ本体２の底部２Ａには、開口部１１ａが設けられている。従って、この開口部１１ａを介してばね部材９の端部が突出部１４ａに係合している状態が底部側から見られる。
【００４６】
さらにまた、この窪み部１９において、側壁１５の前方の部分が切欠かれていて、イジェクト部材８の側面が露出されるようになっている。従って、この側壁１５の切欠かれて、イジェクト部材８の露出されるようになった側面部分に対して、カムレバー２５が配置されており、カバー部材３の側壁部３Ａに設けられた抑え部材２４によって、カムレバー２５が外れないように押圧されるようになっている。  
【００４７】
また、この窪み部１９内に配置されるイジェクト部材８の外側の側面にはイジェクト機構５のハート形カム２０とカム溝２１とが設けられており、カムレバー２５の一方の端部がこのカム溝２１に係合されている。さらにまた、カムレバー２５の他方の端部は、コネクタ本体２の側壁１５部分の孔に回動可能に嵌め込まれて支持されており、カバー部材３の側壁部３Ａに設けられた抑え部材２４によってカムレバー２５が外れないように押圧されている。
【００４８】
さらに、このようなイジェクト機構５のイジェクト部材８が配置される窪み部１９に隣接して、スライダ部材６のための一方の案内路１７が形成されている。また、この案内路１７と対向して、コネクタ本体２の反対側の側壁１６に沿って案内路１８が設けられていて、スライダ部材３６をカードの挿入、抜去方向と平行な方向にスライドさせて案内するようになっている。
【００４９】
カバー部材３の上面には、一対のガイド溝２２が平行して設けられると共に、カバー部材３の側壁３Ａの前方の部分に、イジェクト機構５のカムレバー２５を抑制するための片持ちばね形の抑え部材２４が設けられている。カバー部材３のこれらガイド溝２２には、スライダ部材６の対応する円形状のガイド突部２３が係合していて、スライダ部材６を良好に案内するように形成されている。
【００５０】
従って、カードの挿入、抜去時には、スライダ部材６のガイド突部２３がガイド溝２２に沿って案内されて滑動されるので、スライダ部材６がガタ付くことなく円滑に案内されると共に、スライダ部材６の傾きを矯正するように作用するので、スライダ部材６がカード挿入、抜去方向に対して何等傾くこと無く、常に良好に滑動されるようになる。
【００５１】
このように、カバー部材３のガイド溝２２と、このガイド溝２２に係合するスライダ部材６のガイド突部２３との組によって、スライダ部材６の傾きを矯正する傾き矯正機構７が形成されるようになっている。
【００５２】
このような本発明の実施例２のカードコネクタ１において、スライダ部材６は、図１７乃至図２１に示されるように、平板状のスライダ本体１３と、スライダ本体１３の両側部をほぼ直角に折り曲げて形成された側壁部６Ａ、６Ｂと、スライダ本体１３の一端を同様にほぼ直角に折り曲げて形成された端壁部６Ｃとを有している。一方の側壁部６Ａにおいて、図１３に示されるように、スライダ部材６の、鉤形に折り曲げられた係止部６Ｄがイジェクト部材８の上面の溝形の係止孔８Ｂに圧入されて係合されることによって、スライダ部材６がイジェクト部材８に連結されて一体的に形成されるようになっている。
【００５３】
さらに、スライダ部材６は、両側の両側壁部６Ａ、６Ｂが直角形状に折り曲げられていて、屈曲部分が、コネクタ本体２の基板１１部分の両側の案内路１７、１８部分に係合するように、ガイド部として形成されている。これによってスライダ部材６が、ガイドレールとしての案内路１７、１８に沿って案内されて往復移動するように構成されている。
【００５４】
また、スライダ部材６は、両側の側壁部６Ａ、６Ｂと一端の端壁部６Ｃとが折り曲げられることによって、スライダ本体３の内側に、カードを収納できるカード装着部が形成されている。これによって挿入されたカードの先端部分がこのカード装着部内に装着されてスライダ部材６を押圧して移動することができる。
【００５５】
さらにまた、スライダ部材６の側壁部６Ｂには、図１７に明示されるように、片持ちばね形のカード抑え部材２９が設けられており、挿入されたカードを反対側の側壁部６Ａに向って押圧して、スライダ部材６に対するカードのガタツキを防止するようになっている。さらに、このカード抑え部材２９は、カード排出時に、カードの急激な排出を抑えて制動するようにブレーキ部材としてカードの飛び出しを好適に抑制することができるように形成されている。
【００５６】
このように、イジェクト部材８には、トンネル形のばね収納部８Ａが設けられており、このばね収納部８Ａ内の閉鎖側の端壁８Ｃに対してばね部材９の一端が係合されている。また、ばね部材９の他端は、窪み部１９の端壁１４の突出部１４ａに当接され係合されている。従って、ばね部材９は、イジェクト部材８の移動によって押圧されて、圧縮されるようになっている。このばね部材９の圧縮力がイジェクト部材８を押し戻すことによって、カードがカードコネクタ１から押し出されて排出されるようになる。
【００５７】
このように、本発明の実施例２においては、スライダ部材６は、カバー部材３の一対のガイド溝２２に、スライダ部材６の上面の円形状のガイド突部２３が係合されている。これによって、スライダ部材６は、何等ガタ付き無く円滑に案内されてスライダ部材６の傾きを矯正するように作用するため、スライダ部材６がカード挿入、抜去方向に対して何等傾くこと無く、常に良好に滑動されるようになる。
【００５８】
従って、スライダ部材６の摩滅による削り屑の発生も無く、常に円滑にスライダ部材６を作動させることができる。なお、ガイド溝２２は、少なくとも１つが設けられておれば、所期の目的を達成することができ、スライダ部材６のガタツキの無い円滑な滑動が得られる。また、好適には、ガイド溝２２は、一対が設けられると、一層良好な滑動が得られるものである。
【００５９】
上述したように、本発明のこの実施例２のカードコネクタ１によれば、スライダ部材６は、上面に設けられた円形状のガイド突部２３が、カバー部材３のガイド溝２２に係合されている。これによって、スライダ部材６は、何等ガタ付き無く円滑に案内され、しかも、これらガイド溝２２とガイド突部２３とによってスライダ部材６の傾きが矯正されるように作用されるために、スライダ部材６がカード挿入、抜去方向に対して何等傾くこと無く、常に良好に滑動されるようになる。従って、スライダ部材６の摩滅による削り屑の発生も無く、常に円滑にスライダ部材６を作動させることができる。
【００６０】
このように本発明のカードコネクタ１によれば、ガイド溝２２に係合する円形突部２３を有する傾き矯正機構７によって、スライダ部材６が何等傾くことなく円滑に案内されて滑動されるようにできる。
【産業上の利用可能性】
【００６１】
本発明のカードコネクタは、パソコン、携帯電話機、電話機、ＰＤＡ（personal  digital  assistance）、携帯型オーディオ、ゲーム機、カメラ、カラオケ等や情報端末機器等の電子機器に利用できる。
【図面の簡単な説明】
【００６２】
【図１】本発明の実施例１におけるカードコネクタの平面図である。
【図２】図１のカードコネクタの正面図である。
【図３】図１のIII―III線に沿った断面図である。
【図４】図１のIＶ―IＶ線に沿った断面図である。
【図５】図１の本発明のカードコネクタの斜視図である。
【図６】図５のカードコネクタのカバー部材を取外した斜視図である。
【図７】カードを挿入した時の斜視図である。
【図８】カードを排出した時の斜視図である。
【図９】スライダ部材の斜視図である。
【図１０】図９のスライダ部材の正面図である。
【図１１】カバー部材の斜視図である。
【図１２】本発明の実施例１のカードコネクタのソケット本体の平面図である。
【図１３】本発明の実施例２におけるカードコネクタの平面図である。
【図１４】図１３のカードコネクタの右側面図である。
【図１５】図１３の本発明の実施例２のカードコネクタの斜視図である。
【図１６】図１５のカードコネクタのカバー部材を取外した斜視図である。
【図１７】スライド部材の斜視図である。
【図１８】本発明の実施例２におけるカードコネクタのイジェクト部材と一体になったスライダ部材の平面図である。
【図１９】図１８のスライダ部材の底面図である。
【図２０】図１８のスライダ部材の背面図である。
【図２１】図１８のスライダ部材の右側面図である。
【図２２】本発明のカードコネクタの実施例２におけるソケット本体の平面図である。
【符号の説明】
【００６３】
１          カードコネクタ
２          コネクタ本体
３          カバー部材
４          コンタクト
５          イジェクト機構
６          スライダ部材
７          傾き矯正機構
８          イジェクト部材
９          ばね部材
１０        カード挿入口
１１        基板
１２        溝
１３        スライダ本体
１４        端壁
１５        側壁
１６        側壁
１７        案内路
１８        案内路
１９        窪み部
２０        ハート形カム
２１        カム溝
２２        ガイド孔
２３        ガイド突部
２４        抑え部材
２５        カムレバー
２６        係止突部
２７        開口部
２８        位置決め突部
２９        カード抑え部材
【図１】
2005149993.tif 000003
【図２】
2005149993.tif 000004
【図３】
2005149993.tif 000005
【図４】
2005149993.tif 000006
【図５】
2005149993.tif 000007
【図６】
2005149993.tif 000008
【図７】
2005149993.tif 000009
【図８】
2005149993.tif 000010
【図９】
2005149993.tif 000011
【図１０】
2005149993.tif 000012
【図１１】
2005149993.tif 000013
【図１２】
2005149993.tif 000014
【図１３】
2005149993.tif 000015
【図１４】
2005149993.tif 000016
【図１５】
2005149993.tif 000017
【図１６】
2005149993.tif 000018
【図１７】
2005149993.tif 000019
【図１８】
2005149993.tif 000020
【図１９】
2005149993.tif 000021
【図２０】
2005149993.tif 000022
【図２１】
2005149993.tif 000023
【図２２】
2005149993.tif 000024